(57)【特許請求の範囲】
【請求項１】
建屋天井と該建屋天井に対して所要距離離れて設けられた天井板との空間に設けられる防火スクリーン装置であって、前記天井板は複数の天井蓋によって閉塞される開口部を有し、前記防火スクリーン装置は同一構成の複数の防火スクリーンユニットから構成され、該防火スクリーンユニットはそれぞれ前記天井蓋と、防火スクリーンが巻設された巻取り軸と、前記天井蓋に回転自在に設けられ、前記巻取り軸から下方に繰出された前記防火スクリーンが掛回される昇降軸を具備し、前記巻取り軸は軸受を介して前記建屋天井に回転自在に設けられ、前記昇降軸より立上がった前記防火スクリーンの上端部は吊元金具を介して前記建屋天井に固着され、前記複数の防火スクリーンユニットは前記防火スクリーンの端縁部が重合する様に連設され、又隣接する防火スクリーンユニットは交互に立上がった防火スクリーンが向合う様に配設され、前記巻取り軸が回転して前記防火スクリーンが前記開口部を通して繰出され、前記天井蓋が接地することで防火区画を形成する様にしたことを特徴とする防火スクリーン装置。
【請求項２】
同一向きの防火スクリーンユニットの巻取り軸を連結シャフトを介して連結し、同一向きの防火スクリーンユニットについては１つの開閉機により駆動する様にした請求項１の防火スクリーン装置。
【請求項３】
防火スクリーンユニットの巻取り軸と連結シャフトとはユニバーサルジョイントを介して連結した請求項２の防火スクリーン装置。
【請求項４】
巻取り軸と防火スクリーン上端部固着部との間の防火スクリーンに囲まれた空間に、該防火スクリーンに対して水を噴出する散水管を配設した請求項１の防火スクリーン装置。
【請求項５】
隣接する防火スクリーンユニットの防火スクリーンの上端部は前記吊元金具によって共締された請求項１の防火スクリーン装置。
【請求項６】
前記昇降軸、前記天井蓋の自重により前記防火スクリーンが繰出される様にし、前記天井蓋が前記開口部を閉塞した状態で、前記天井蓋に解除可能に嵌合して該天井蓋の閉塞状態を維持する係止ロッドを具備した請求項１の防火スクリーン装置。
【請求項７】
前記昇降軸、前記天井蓋の自重により前記防火スクリーンが繰出される様にし、前記天井蓋と前記開口部との間に前記天井蓋の閉塞状態を維持する封印部材が設けられ、該封印部材は加熱により溶融、軟化し、前記天井蓋の閉塞状態を解除する請求項１の防火スクリーン装置。
【発明の詳細な説明】
【０００１】
【発明の属する技術分野】
本発明は火災が発生した場合に、延焼、或は煙の拡散を防止する為の防火、防煙設備として設けられる防火スクリーン装置に関するものである。
【０００２】
【従来の技術】
防火、防煙設備として設けられる従来の防火スクリーン装置を図１０に於いて説明する。
【０００３】
建屋天井１の背面側に防火スクリーン巻取装置２が設けられ、該防火スクリーン巻取装置２の巻取軸３は巻取用モータ４により回転され不燃性の防火スクリーン５を巻取る様になっている。前記巻取軸３から繰出された防火スクリーン５は前記建屋天井１に設けられたスリット状の開口部６より垂下しており、該開口部６の両側には複数のドレンチャーヘッド７が設けられ、該ドレンチャーヘッド７は配管８を介して図示しない貯水タンク等の水源に連通している。
【０００４】
火災が発生した場合は、前記巻取用モータ４を駆動して前記防火スクリーン５が垂下され、空間を仕切ると共に前記防火スクリーン５に向かって前記ドレンチャーヘッド７より水が吹付けられる。不燃性の前記防火スクリーン５、該防火スクリーン５に吹付けられ形成される水幕により火元側との遮断及び防火を行う。
【０００５】
【発明が解決しようとする課題】
前記防火スクリーンにより仕切る空間が広く間口の幅が大きい場合は防火スクリーンを複数連設しなければならない。上記した従来の防火スクリーンでは連設した場合、隣接する防火スクリーン間に隙間が明き熱遮断、防火、防煙の機能が低下する虞れがあり、防火スクリーンを連続させる為の中柱、ガイドレールが必要となる。この為、構造が複雑になり、又構造上中柱、ガイドレールが設けられない箇所には防火スクリーンの設置が困難となる等の不具合があった。更に、防火スクリーン５に対して水が吹付けられているが、水が飛散して防火スクリーンに充分吸収されにくく多量の水を必要とする等の不具合もあった。
【０００６】
本発明は斯かる実情に鑑み、防火スクリーンを複数連設しても、防火スクリーンが相互に密着し、防火スクリーンを連続する為の中柱、ガイドレールを不要とするものであり、合わせて防火スクリーン装置の簡略化、耐火性能、断熱性、防炎性、防煙性を向上しようとするものである。
【０００７】
【課題を解決するための手段】
本発明は、建屋天井と該建屋天井に対して所要距離離れて設けられた天井板との空間に設けられる防火スクリーン装置であって、前記天井板は複数の天井蓋によって閉塞される開口部を有し、前記防火スクリーン装置は同一構成の複数の防火スクリーンユニットから構成され、該防火スクリーンユニットはそれぞれ前記天井蓋と、防火スクリーンが巻設された巻取り軸と、前記天井蓋に回転自在に設けられ、前記巻取り軸から下方に繰出されたスクリーンが掛回される昇降軸を具備し、前記巻取り軸は軸受を介して前記建屋天井に回転自在に設けられ、前記昇降軸より立上がった前記スクリーンは吊元金具を介して前記建屋天井に固着され、前記複数の防火スクリーンユニットは前記スクリーンの端縁部が重合する様に連設され、又隣接する防火スクリーンユニットは交互に立上がったスクリーンが向合う様に配設され、前記巻取り軸が回転して前記スクリーンが前記開口部を通して繰出され、前記天井蓋が接地することで防火区画を形成する様にした防火スクリーン装置に係り、又同一向きの防火スクリーンユニットの巻取り軸を連結シャフトを介して連結し、同一向きの防火スクリーンユニットについては１つの開閉機により駆動する様にした防火スクリーン装置に係り、又防火スクリーンユニットの巻取り軸と連結シャフトとはユニバーサルジョイントを介して連結した防火スクリーン装置に係り、又巻取り軸と防火スクリーン上端部固着部との間の防火スクリーンに囲まれた空間に、該防火スクリーンに対して水を噴出する散水管を配設した防火スクリーン装置に係り、又隣接する防火スクリーンユニットの防火スクリーンの上端部は前記吊元金具によって共締された防火スクリーン装置に係り、前記昇降軸、前記天井蓋の自重により前記スクリーンが繰出される様にし、前記天井蓋が前記開口部を閉塞した状態で、前記天井蓋に解除可能に嵌合して該天井蓋の閉塞状態を維持する係止ロッドを具備した防火スクリーン装置に係り、更に又前記昇降軸、前記天井蓋の自重により前記スクリーンが繰出される様にし、前記天井蓋と前記開口部との間に前記天井蓋の閉塞状態を維持する封印部材が設けられ、該封印部材は加熱により溶融、軟化し、前記天井蓋の閉塞状態を解除する防火スクリーン装置に係るものである。
【０００８】
昇降軸の降下は防火スクリーンの引出しを伴い、防火スクリーンが垂下した状態で防火区画を形成する。吹出した水は防火スクリーンに吸収され、更に表面を流下して水幕を形成し、防火スクリーンの断熱性、防炎性、防煙性を高める。
【０００９】
【発明の実施の形態】
以下、図面を参照しつつ本発明の実施の形態を説明する。
【００１０】
図１、図２に示すものは複数の防火スクリーンユニット９ａ，９ｂ，…が複数連設された状態を示している。
【００１１】
該防火スクリーンユニット９ａ，９ｂ，…は同一の構成で交互に対称の配置となっているので以下は防火スクリーンユニット９ａについて説明する。
【００１２】
建屋天井１０より下方、所要距離離れた位置に天井板１１が取付けられ、該天井板１１には開口部１２が設けられている。対を成す軸受１３，１３が前記建屋天井１０に固着され、該軸受１３，１３に巻取り軸１４が回転自在に設けられる。該巻取り軸１４は前記開口部１２の長手方向と平行に設けられ、建屋天井１０に投影された前記開口部１２の長辺に略合致した位置に配設されている。
【００１３】
前記巻取り軸１４の一端部に対向して開閉機１５が前記建屋天井１０に固着され、前記巻取り軸１４の一端に図示しない被動スプロケットが嵌着され、前記開閉機１５の出力軸には図示しない駆動スプロケットが嵌着され、該駆動スプロケットと前記被動スプロケットとはチェーン１６により連結されている。
【００１４】
前記開口部１２を閉塞可能な天井蓋１７には軸受ブラケット１８，１８が両端に設けられ、該軸受ブラケット１８，１８には昇降軸１９が回転自在に設けられている。前記巻取り軸１４には不燃性の防火スクリーン２１ａが巻付けられており、巻取り軸１４より下方に繰出された防火スクリーン２１ａは前記昇降軸１９に掛回され、上方に立上がって吊元金具２２ａに固着され、該吊元金具２２ａは前記建屋天井１０に固着されている。前記吊元金具２２ａの近傍、前記防火スクリーン２１ａに平行に散水管２３が配設され、該散水管２３は前記昇降軸１９で折返された防火スクリーン２１で囲まれる空間に収納される。前記散水管２３は図示しない水源に接続され、該散水管２３には前記防火スクリーン２１ａと対向する位置に所要のピッチで放水孔（図示せず）が穿設されている。
【００１５】
防火スクリーンユニット９ｂは防火スクリーンユニット９ａと対称な構成となっている。吊元金具２２ｂは端部が前記吊元金具２２ａと重合する様に取付けられ、前記吊元金具２２ｂに固着される防火スクリーン２１ｂは前記防火スクリーン２１ａと端縁部が重合する様になっている。その他の構造については前述した防火スクリーンユニット９ａと同様であるので説明を省略する。
【００１６】
前記開口部１２は天井蓋１７ａ，１７ｂにより閉塞されるので、形状はクランク状となっている。尚、前記天井蓋１７の長手方向の寸法を開口部１２の長手方向の全長と一致させ、前記開口部１２を直線状のスリット状の長孔としても良い。
【００１７】
以下、作動を説明する。
【００１８】
火災発生時には、前記開閉機１５を駆動して、前記巻取り軸１４を防火スクリーン２１を繰出す方向に回転する。前記昇降軸１９、天井蓋１７の自重により、防火スクリーン２１が下方に引出される。同時に前記散水管２３より水が噴出され、前記防火スクリーン２１に吹付けられる。前記散水管２３の吹出し位置は、前記巻取り軸１４から繰出される防火スクリーン２１の部分と吊り元部により囲まれているので飛散することなく効果的に防火スクリーン２１に吸収され、更に余剰の水も昇降軸１９との間に溜まり無駄なく吸収されるので下（床面等）に流れ出しにくくなる。而して防火スクリーン２１に水が効果的に吸収されると共に防火スクリーン２１の表面には流下する水により水幕が形成される。
【００１９】
尚、前記散水管２３からの水は巻取り軸１４側に向かって噴出してもよく、吊元金具２２側と巻取り軸１４側の両方に向かって水を噴出する様にしてもよい。両方に向かって水を噴出した場合は２重の水幕防火スクリーン２１が形成される。
【００２０】
前記天井蓋１７が床面に接地した状態では、前記防火スクリーン２１により空間が仕切られ、隣接する防火スクリーン２１、例えば防火スクリーン２１ａ，２１ｂは端縁部が重合しているので防火スクリーンユニット９間で隙間を生じることはない。尚、前記防火スクリーン２１ａと防火スクリーン２１ｂとを吊元金具２２ａと吊元金具２２ｂとにより共締めする様にすれば、防火スクリーン２１ａと防火スクリーン２１ｂの端縁部は密着して更に隙間はなくなる。
【００２１】
通常時には前記開閉機１５を駆動して防火スクリーン２１を巻取り、前記天井蓋１７を上昇させ、天井蓋１７により開口部１２を閉塞する。
【００２２】
図３〜図５は複数の防火スクリーンユニット９を屈曲させて設けた場合を示している。
【００２３】
防火スクリーンユニット９ａと防火スクリーンユニット９ｂとを交互に配設し、隣設した防火スクリーンユニット９ａの巻取り軸１４と防火スクリーンユニット９ａの巻取り軸１４とはユニバーサルジョイント２４を介して連結シャフト２５により連結する。同様に隣接した防火スクリーンユニット９ｂの巻取り軸１４と防火スクリーンユニット９ｂの巻取り軸１４ｂとはそれぞれユニバーサルジョイント２４を介して連結シャフト２５により連結する。前記開閉機１５は一方の防火スクリーンユニット９ａの巻取り軸１４及び一方の防火スクリーンユニット９ｂの巻取り軸１４にそれぞれ１組、計２組設けられる。
【００２４】
而して、前記開閉機１５を駆動し、一方の巻取り軸１４を回転することで２組の防火スクリーンユニット９ａが開閉作動をし、同様に一方の巻取り軸１４を回転することで２組の防火スクリーンユニット９ａが開閉作動をする。
【００２５】
火災時の閉作動に於いて、一般電源又は非常電源が利用できる場合は前記開閉機１５の駆動により前記防火スクリーン２１の降下が行われる。又、停電等で前記開閉機１５を駆動できない場合は、手動により閉動作が行われる。この場合は一般の防災シャッタ同様、開閉機１５のブレーキをワイヤ等を介して解除し自重降下させるか或は、モータ軸又は巻取り軸１４に連動しているギアをチェーン、ロープ、ワイヤ等を介して手動で駆動し、前記巻取り軸１４を回転させて防火スクリーン２１を降下させる。
【００２６】
上記実施の形態では開閉機１５により巻取り軸１４を駆動し、防火スクリーン２１を繰出し、巻取る様にしたが、防火スクリーン装置の断熱、防炎、防煙の機能に着目して機構を簡略化することも可能である。即ち、図６に示す実施の形態では前記開閉機１５を省略して前記天井蓋１７、昇降軸１９の自重により、自由落下により防火スクリーンユニット２９の閉動作を行わせる様にしてある。
【００２７】
天井板１１に形成された開口部１２は天井蓋１７により閉塞される様になっており、該天井蓋１７は防火スクリーンユニット２９により支持されている。
【００２８】
建屋天井１０には軸受１３を介して巻取り軸１４が回転自在に設けられ、該巻取り軸１４には防火スクリーン２１が巻設されている。前記天井蓋１７の上面には軸受ブラケット１８を介して昇降軸１９が設けられ、前記巻取り軸１４より繰出された防火スクリーン２１は前記昇降軸１９に掛回され、該防火スクリーン２１の先端は吊元金具２２を介して前記建屋天井１０に固着されている。前記吊元金具２２の近傍、前記防火スクリーン２１と平行に散水管２３が設けられ、該散水管２３は前記防火スクリーン２１に囲まれている。該散水管２３には前記防火スクリーン２１と対向する位置に所要のピッチで放水孔（図示せず）が穿設され、前記散水管２３は図示しない水源に接続され、前記放水孔より水が放出可能となっている。
【００２９】
前記開口部１２に臨接して所要箇所に直動型のソレノイド３０が設けられ、該ソレノイド３０は駆動時に係止ロッド３１を引込む様になっている。前記天井蓋１７の両側縁部３２は上方に折上げられ、天井蓋１７の前記開口部１２の閉塞状態で突出した前記係止ロッド３１と前記側縁部３２とが嵌合可能である。前記ソレノイド３０は図示しない制御部に接続され、熱感知器、煙感知器等の信号を基に前記ソレノイド３０を駆動する様になっている。
【００３０】
熱感知器、煙感知器等が非常時を感知すると前記制御部は前記ソレノイド３０を駆動させ、前記係止ロッド３１を引込ませる。前記側縁部３２が前記係止ロッド３１から外れ、前記天井蓋１７、昇降軸１９は前記防火スクリーン２１を前記巻取り軸１４より引出しつつ自重により降下する。前記天井蓋１７が床面に接触した状態で空間が仕切られる。前記ソレノイド３０の駆動と同時に前記散水管２３より散水が開始される。含水した前記防火スクリーン２１により断熱、防炎、防煙がなされる。又散水された水は防火スクリーン２１に挟まれているので周囲に飛散することがない。
【００３１】
尚、本実施の形態に於いて防火スクリーン２１の閉鎖後更に防火スクリーン２１を巻取る必要のある場合は、以下に述べる簡便な巻取り機構を設けてもよい。
【００３２】
前記巻取り軸１４の軸端にプーリ又はスプロケットを設け、該プーリ又はスプロケット軸支持部間にラチェット機構を設け、前記巻取り軸１４は防火スクリーン２１の巻取り方向には自在に回転し、繰出し方向の回転を拘束する様になっている。又、前記ラチェット機構は手動により解除可能である。前記プーリ又はスプロケットにロープ、ワイヤ、チェーン等を掛回し、垂下したロープ、ワイヤ、チェーン等を手動により手繰り前記巻取り軸１４が回転可能である。或は、手の届く範囲に巻取りハンドルを設け、該ハンドルに設けたプーリ又はスプロケットを介して前記ロープ又はチェーンを周回させ前記巻取り軸１４が回転可能である。防火スクリーン２１の閉動作は、前記ラチェット機構を解除し、前記ロープ、ワイヤ、チェーン等を手繰り或は前記ハンドルを回して行う。尚、ラチェット機構の代わりに回転板と該回転板に嵌脱するロッド等から成る手動解除式ロック機構を設けてもよい。
【００３３】
図７は開閉機を省略した他の実施の形態を示している。
【００３４】
図７では更にソレノイド３０を省略したものであり、閉鎖状態の天井蓋１７と天井板１１との間をフューズメタル、或は熱溶融性、熱軟化性合成樹脂の封印部材３３により接合する。該封印部材３３は常温時では前記天井蓋１７、昇降軸１９の重量を支持するに充分な強度を有している。
【００３５】
本実施の形態で火災が発生し、前記封印部材３３が加熱されると溶融、熱軟化し、天井蓋１７の支持が解除され、該天井蓋１７、昇降軸１９は自重により降下し、前記防火スクリーン２１を巻取り軸１４より引出す。垂下した防火スクリーン２１は防火区画を形成する。尚、防火スクリーンユニット２９自体の構成については、図６で示したものと同様であるので説明を省略する。
【００３６】
図８は手動開閉式の更に他の実施の形態を示す。
【００３７】
図８に於いては巻取り軸１４、散水管２３等が省略して示されている。本実施の形態では巻取式の建物用シャッタと同様に前記巻取り軸１４に対して巻取バランスコイルバネを設けたものであり、該巻取バランスコイルバネにより前記巻取り軸１４は防火スクリーン２１の巻取り方向に付勢され、更に前記巻取バランスコイルバネは少なくとも天井蓋１７の閉鎖状態、或は天井蓋１７が床面に達した状態を維持する様になっている。前記天井蓋１７には紐３４が垂設されており、非常時には紐３４を引下げて前記天井蓋１７を降下させる。尚、前記天井蓋１７に引っ掛け用の孔を穿設し、フック棒３５を孔に引っ掛け、前記天井蓋１７を引下げる様にしてもよい。尚、必要とあれば床側にフック等を設けて、引下げた天井蓋１７を該フックに係着する様にしてもよい。
【００３８】
図９は、前記防火スクリーン２１の一例を示すものである。
【００３９】
表裏２枚の不燃シート２７，２７の間に層状に高分子吸水材２８を挾設し、更にキルティング加工したものである。該防火スクリーン２１によれば、前記高分子吸水材２８が吸水することで、防火スクリーン２１同士の密着性が向上すると共に防火スクリーン２１単体についても気密性、断熱性が向上する。防火スクリーンは、高分子吸収材とシリカクロス、ガラスクロス等の不燃難燃シートの多層構造にすることにより、より防火、防煙性、遮熱効果が得られるが、流下する水により水幕が形成される為、特に不燃難燃性を持たない単なる繊維や樹脂の織物等の材質のシートと高分子吸収材との多層構造でもよい。
【００４０】
尚、巻取り軸、防火スクリーンユニットは天井以外の梁等、建屋側に設けられてもよい。
【００４１】
【発明の効果】
以上述べた如く本発明によれば、防火スクリーンユニットを連設した場合にも防火スクリーン間に隙間が生じることなく、中柱、ガイドレールが必要なく構造が簡潔となり、中柱、ガイドレールを設けられない場所等での設置に制約を受けることがなく、更に屈曲させて設けることができるので設置場所の自由度が大幅に増大する。又、散水管は防火スクリーンに囲まれた空間に配置されるので噴出した水が飛散することなく防火スクリーンに吸収され、更に水幕を形成し、気密性、断熱性、防煙性が向上する。
【図面の簡単な説明】
【図１】本発明の実施の形態を示す斜視図である。
【図２】同前実施の形態を示す側面図である。
【図３】本発明の実施の応用例を示し、防火スクリーンユニットを複数屈曲させて連設した場合を示す斜視図である。
【図４】同前応用例に於ける防火スクリーンユニットの連結を示す要部説明図である。
【図５】同前応用例に於ける連結部の説明図である。
【図６】本発明の他の実施の形態を示す要部説明図である。
【図７】本発明の更に他の実施の形態を示す要部説明図である。
【図８】本発明の更に他の実施の形態を示す要部説明図である。
【図９】本発明の実施の形態に用いられる防火スクリーンの構造を示す部分断面図である。
【図１０】従来例を示す説明図である。
【符号の説明】
９          防火スクリーンユニット
１０        建屋天井
１１        天井板
１２        開口部
１４        巻取り軸
１５        開閉機
１７        天井蓋
１９        昇降軸
２１        防火スクリーン
２２        吊元金具
２４        ユニバーサルジョイント
２５        連結シャフト
２９        防火スクリーンユニット
３０        ソレノイド
３３        封印部材
【図１】
0003813712.tif 000002
【図２】
0003813712.tif 000003
【図３】
0003813712.tif 000004
【図４】
0003813712.tif 000005
【図５】
0003813712.tif 000006
【図６】
0003813712.tif 000007
【図７】
0003813712.tif 000008
【図８】
0003813712.tif 000009
【図９】
0003813712.tif 000010
【図１０】
0003813712.tif 000011